【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
ポリエーテルポリオールの製造方法であって、
以下の出発原料： 
ａ）一種以上のアルキレンオキシドと、必要に応じて二酸化炭素と、
ｂ）一種以上のＨ官能性出発物質
とを、触媒の存在下で、
相互に平行に並ぶ複数の層ＡとＢを有する（これらの層は、それぞれの層が相互に平行に配置され、プレートの一方の面からその反対側の面に通じる連続流路を形成する複数の流路を有するように微細構造が形成されている）反応装置中において、
出発原料の一部または全部と、必要に応じて触媒とを、反応温度未満の温度で流路外にあるミキサー中で前混合し、
次いでこの混合物を、その装置のプレートの一方の面の層Ａの流路中に供給し、
その反応混合物をその他方の面から抜き出し、また、
伝熱媒体を、その一方の面の、層Ａと交互に配置された層Ｂの流路中に供給し、これらの他方の面から抜き出して、反応させ、
その際、出発原料と触媒とを導入するための分配装置が、層Ａの流路の一末端に取り付けられ、反応混合物の収集装置が他方の末端に取り付けられてあり、
層Ａの流路の圧力が１〜２０ＭＰａ（１０〜２００ｂａｒ）(絶対圧）の範囲にあり、温度が６０〜２００℃の範囲にあり、反応混合物の滞留時間が１〜６００秒の範囲にあることを特徴とする製造方法。
【請求項２】
前記の層ＡとＢがプレート状である請求項１に記載の方法。
【請求項３】
前記分配装置および収集装置が、それぞれ層ＡとＢの重層の外部に位置するチャンバーとして形成される請求項１又は２に記載の方法。
【請求項４】
前記分配装置および収集装置が、それぞれ層ＡとＢの重層物の内部に設けられ、各々の層Ａの平行流路は、これらの両末端のそれぞれの領域に設けられた平行流路間を連結する横方向の流路を持っており、層ＡとＢの重層内のすべての横方向の流路が、層ＡとＢの面に実質的に垂直に形成された収集流路により連結されている請求項１又は２に記載の方法。
【請求項５】
前記層ＡとＢの交互配列が、一層の層Ａの後に一層の層Ｂが続くか、二層の連続する層Ａの後に一層の層Ｂが続くか、二層の連続する層Ｂの後に一層の層Ａが続くものである請求項１〜４のいずれか一項に記載の方法。  
【請求項６】
層Ａの分配装置および収集装置に対応する分配装置と収集装置が、伝熱媒体が流れる流路を持つ層Ｂに対しても設けられる請求項１〜５のいずれか一項に記載の方法。  
【請求項７】
反応器の外部にあり、出発原料の一部または全部、及び必要に応じて触媒が前混合されるミキサーが微細構造ミキサーである請求項１〜６のいずれか一項に記載の方法。  
【請求項８】
前記微細構造ミキサーが、層状拡散ミキサー、多層ミキサー、壁面構造を持つマイクロミキサー、または分割再結合ミキサーである請求項７に記載の方法。
【請求項９】
伝熱媒体の適当な加熱／冷却のために層Ｂに設けられた、加熱または冷却ゾーン当たり少なくとも一台の分配装置および収集装置を有する２つ以上の加熱または冷却ゾーンにより、各層Ａの流路に沿って温度勾配が形成されている請求項１〜８のいずれか一項に記載の方法。
【請求項１０】
前記反応混合物が、収集装置から反応器の上流に位置するミキサーに再循環される請求項１〜９のいずれか一項に記載の方法。
【請求項１１】
ポリエーテルポリオールの製造方法であって、
以下の出発原料：
ａ）一種以上のアルキレンオキシドと、必要に応じて二酸化炭素と、
ｂ）一種以上のＨ官能性出発物質
とを、触媒の存在下で、
請求項１〜６のいずれか一項に記載の定義に対応する２つ以上の反応装置をブロック的に操作して、反応させ、
１）出発原料ａ）とｂ）を第一の反応装置に供給し、第一の反応混合物を得て、
２）第一の反応混合物が第一の反応装置を出た後、好ましくは冷却／加熱し、
３）一種以上の出発原料とは異なる他の出発原料を工程段階１）に導入し、または工程段階１）と同一ではあるが工程段階１）とは混合比率が異なる出発原料を混合し、第二の反応混合物を得て、第二の反応混合物を第二の反応装置に供給し、
４）得られた反応混合物を、必要に応じて他の反応装置に供給し、工程段階２）と３）が適当な回数繰り返すことを特徴とする製造方法。
【請求項１２】
前記一種以上のアルキレンオキシドおよび、必要に応じて二酸化炭素を、まず、第一の混合工程において反応器外部のミキサー中で触媒とともに前混合し、前記一種以上のＨ官能性出発物質を第二の混合工程で混合する請求項１〜１２のいずれか一項に記載の方法。
【請求項１３】
出発原料ａ）がエチレンオキシド、プロピレンオキシド、ブチレンオキシド、ペンテンオキシド、グリシジルエーテル、ヘキセンオキシド、およびスチレンオキシド、好ましくはエチレンオキシド、プロピレンオキシド、二酸化炭素またはこれらの混合物からなる群より選ばれる一種以上の物質である請求項１〜１２のいずれか一項に記載の方法。  
【請求項１４】
官能基数が１〜８である一種以上のアルコールをＨ官能性出発物質として使用する請求項１〜１３のいずれか一項に記載の方法。
【請求項１５】
官能基数が１で一般式Ｒ−ＯＨ（式中、Ｒは、炭素原子数が１〜６０、好ましくは１〜２４の飽和又は不飽和のアルキル、アリール、アラルキルまたはアルキルアリール基である）で表される一種以上のアルコールが、特にメタノール、ブタノール、ヘキサノール、ヘプタノール、オクタノール、デカノール、ウンデカノール、ドデカノールまたはトリデカノール、テトラデカノール、ペンタデカノール、ヘキサデカノール、ヘプタデカノール、オクタデカノール、ブテノール、ヘキセノール、ヘプテノール、オクテノール、ノネノール、デセノ−ル、ウンデセノール、ビニルアルコール、アリルアルコール、ゲラニオール、リナロール、サイトロネロール、フェノールまたはノニルフェノールから選ばれる一種以上の物質が、一種以上のＨ官能性出発物質として使用される請求項１４に記載の方法。
【請求項１６】
官能基数が２〜８の、特に好ましくは２〜４の、より好ましくは２〜３の一種以上のアルコール類、特にエチレングリコール、プロピレングリコール、グリセロール、トリメチロールプロパン及びペンタエリスリトールからなる群から選ばれる一種以上の物質が、Ｈ官能性出発物質として使用される請求項１４に記載の方法。
【請求項１７】
多金属シアン化物錯体触媒が触媒として使用される請求項１〜１６のいずれか一項に記載の方法。
【請求項１８】
水酸化カリウム、アルカリ金属アルコキシドまたはアミンなどの塩基性触媒が、触媒として使用される請求項１〜１６のいずれか一項に記載の方法。
【請求項１９】
前記多金属シアン化物錯体触媒が、単一反応装置から出る、又は複数の反応装置の最後から出る反応生成混合物の膜クロスフロー濾過により回収され、プロセス内に再循環される請求項１７に記載の方法。
【請求項２０】
請求項１〜１６のいずれか一項に記載の方法により製造されたポリエーテルポリオールのポリウレタン製造への使用方法。
【請求項２１】
請求項１〜１９のいずれか一項に記載の方法により製造されたポリエーテルポリオールの表面活物質、洗濯洗剤や洗浄剤、鉱業用化学物質、石油分野用化学物質、繊維助剤、皮革加工助剤、塗料添加物、作物保護剤用助剤、化粧品及び個人ケア用助剤、ヒトや動物用の栄養助剤、製造助剤、医薬品の助剤、または燃料添加物としての使用方法。
【手続補正２】
【補正対象書類名】明細書
【補正対象項目名】０００３
【補正方法】変更
【補正の内容】
【０００３】
ＥＰ−Ａ１５８６３７２は、微細構造反応器と、固体触媒の存在下で短分子鎖のアルキレンオキシドを開環付加反応させてポリエーテルアルコールを製造する方法におけるその利用について述べている。この反応では、化学反応が２枚以上の実質的に平行なプレートまたは層により形成される空間内で起こり、出発原料の混合は、別個に各反応流路の単一液層により行われ、熱交換装置が設けられており、反応器が、最大８０ＭＰａ（８００ｂａｒ）の圧力で３０〜４００℃の範囲の温度で運転されている。このようにして、アルキレンオキシド圧が高い結果得られる非常に高い反応速度がうまく利用可能であり、均質で副生成物含量の低いポリエーテルアルコールが得られる。
【手続補正３】
【補正対象書類名】明細書
【補正対象項目名】０００５
【補正方法】変更
【補正の内容】
【０００５】
また、ポリエーテルポリオールの製造方法は超高圧を必要とするため、数十ＭＰａ（数百ｂａｒ）に耐えることのできる反応器の設計が必要となる。
【手続補正４】
【補正対象書類名】明細書
【補正対象項目名】０００９
【補正方法】変更
【補正の内容】
【０００９】
この目的は、以下の出発原料： 
ａ）一種以上のアルキレンオキシドと、必要に応じて二酸化炭素と、
ｂ）一種以上のＨ官能性出発物質
とを、触媒の存在下で、相互に平行に並ぶ複数の層ＡとＢを有する（これらの層は、それぞれの層が相互に平行に配置され、プレートの一方の面からその反対側の面に通じる連続流路を形成する複数の流路を有すように微細構造が形成されている）反応装置中において、
出発原料の一部または全部と、必要に応じて触媒とを、反応温度未満の温度で流路外にあるミキサー中で前混合し、次いでこの混合物を、その装置のプレートの一方の面の層Ａの流路中に供給し、その反応混合物をその他方の面から抜き出し、また、
伝熱媒体を、その一方の面の、層Ａと交互に配置された層Ｂの流路中に供給し、これらの他方の面から抜き出して、反応させるポリエーテルポリオールの製造方法により達成される。なお、出発原料と触媒とを導入するための分配装置が、層Ａの流路の一末端に取り付けられ、反応混合物の収集装置が他方の末端に取り付けられてあり、
層Ａの流路の圧力が１〜２０ＭＰａ（１０〜２００ｂａｒ）(絶対圧）の範囲にあり、温度が６０〜２００℃の範囲にあり、反応混合物の滞留時間が１〜６００秒の範囲にある。
【手続補正５】
【補正対象書類名】明細書
【補正対象項目名】００５４
【補正方法】変更
【補正の内容】
【００５４】
本方法は、層Ａの流路の圧力が１〜２０ＭＰａ（１０〜２００ｂａｒ）(絶対圧）の範囲に、温度が６０〜２００℃の範囲に、反応混合物の滞留時間が１〜６００秒の範囲となるように運転する。ある操作上の変例においては、本方法は６ＭＰａ（６０ｂａｒ）未満の圧力で実施される。